(57)【特許請求の範囲】
【請求項１】
複数の基地局装置間で移動する複数の情報端末への情報配信を無線により行う情報配信システムの通信方法において，
前記基地局装置と通信可能なサーバにより，
前記基地局装置が前記情報端末各々から受信した所定の情報要求通知に基づいて，前記基地局装置の通信エリア内に入った上記情報端末又はその利用者である情報端末等の認識と，保有する情報から該情報端末等が要求する要求情報の選出と，該要求情報毎にそれを要求した前記情報端末等を指定する宛先情報の編成とが行われ，
認識された前記情報端末等及び前記要求情報各々に基づいて，前記要求情報とそれに対応する前記宛先情報とを含む配信情報の配信スケジュールが生成され，
前記基地局装置により，
前記情報要求通知を行った前記情報端末各々に対し該情報要求通知を受理したことを通知する情報要求受理通知を送信する要求受付工程と，
前記配信スケジュールに従って，前記配信情報を前記情報端末各々に対して一斉に送信する情報配信工程と，
前記配信情報が正常に受信された旨を通知する前記情報端末各々からの受信完了通知を受信し，これを送信した前記情報端末各々に対し受信完了確認通知を送信する配信確認工程とが実行され，
前記情報端末からの前記情報要求通知各々に，該情報要求通知を一意に識別する要求識別子が含まれており，
前記情報要求通知各々に対応する前記情報要求受理通知，前記受信完了通知，及び前記受信完了確認通知の各々に，対応する前記要求識別子が含まれ，
各々対応する前記要求受付工程，情報配信工程，及び配信確認工程のいずれか１つ又は複数が，異なる前記基地局装置で独立して実行され，
前記サーバが，前記受信完了通知に含まれる前記要求識別子に基づいて前記要求情報がそれを要求した前記情報端末によって正常に受信されたことを認識してなることを特徴とする情報配信システムの通信方法。
【請求項２】
前記サーバにより，前記要求識別子各々と，これに対応する前記要求情報各々についての前記情報端末との通信の進捗状態とが記憶され，これに基づいて前記情報端末各々との通信が制御されるよう構成された請求項１に記載の情報配信システムの通信方法。
【請求項３】
前記情報端末各々により，前記要求識別子各々と，これに対応する前記要求情報各々についての前記基地局装置との通信の進捗状態が記憶され，これに基づいて前記基地局装置との通信が制御されるよう構成された請求項１又は２のいずれかに記載の情報配信システムの通信方法。
【請求項４】
複数の基地局装置間で移動する複数の情報端末への情報配信を無線により行う情報配信システムにおいて，
前記基地局装置と通信可能なサーバにより，
前記基地局装置が前記情報端末各々から受信した所定の情報要求通知に基づいて，前記基地局装置の通信エリア内に入った上記情報端末又はその利用者である情報端末等の認識と，保有する情報から該情報端末等各々が要求する要求情報の選出と，該要求情報毎にそれを要求した前記情報端末等を指定する宛先情報の編成とが行われ，
認識された前記情報端末等及び前記要求情報各々に基づいて，前記要求情報とそれに対応する前記宛先情報とを含む配信情報の配信スケジュールが生成され，
前記基地局装置が，
前記情報要求通知を行った前記情報端末各々に対し該配信情報の受信準備を促す情報要求受理通知を送信する要求受付手段と，
前記配信スケジュールに従って，前記配信情報を前記情報端末各々に対して一斉に送信する情報配信手段と，
前記配信情報が正常に受信された旨を通知する前記情報端末各々からの受信完了通知を受信し，これを送信した前記情報端末各々に対し受信完了確認通知を送信する配信確認手段とを具備し，
前記情報端末が，前記情報要求通知及びこれに対応する前記受信完了通知の各々に前記情報要求通知を一意に識別する要求識別子を含め，
前記基地局装置が，前記情報要求受理通知及び前記受信完了確認通知の各々に，対応する前記要求識別子を含め，
複数の前記基地局装置が，各々対応する前記要求受付手段の処理，前記情報配信手段の処理，及び前記配信確認手段の処理のいずれか１つ又は複数を独立して実行し，
前記サーバが，前記受信完了通知に含まれる前記要求識別子に基づいて前記要求情報がそれを要求した前記情報端末によって正常に受信されたことを認識してなることを特徴とする情報配信システム。
【発明の詳細な説明】
【０００１】
【発明の属する技術分野】
本発明は，音楽，画像，文字等のディジタル情報を各ユーザの情報端末に無線配信する情報配信システム及びその通信方法に関するものである。
【０００２】
【従来の技術】
近年，携帯電話等の無線の情報端末が普及し，これを無線でインターネットに接続し，各ユーザが要求するディジタル画像やディジタル音楽等のコンテンツを配信するサービスが行われている。しかし，インターネット等の一対一の通信方式では，同一コンテンツを要求する複数ユーザが多数存在する場合でも，各ユーザ毎にコンテンツの送信が行われる。しかし，携帯電話等の無線の情報端末は，それを所持するユーザとともに移動するため，コンテンツを無線配信する基地局の通信エリア内に滞留する時間が比較的短く，一対一の通信では通信効率が悪いという問題点があった。
この問題を解決するため，特願２０００−１２２５７１号では，各情報端末から基地局に対して，要求コンテンツの属性を示す好み情報を送信し，それに基づいて基地局がコンテンツを選出し，ユーザ毎ではなくコンテンツ毎に，エリア内の全情報端末に対して一斉送信することにより，通信効率を向上させることが提案さている。（先願技術）
【０００３】
【発明が解決しようとする課題】
しかし，前記先願技術では，基地局から各情報端末に対し，放送形式でコンテンツを配信するものであり，各ユーザにコンテンツが確実に届いたかどうかを確認できないという問題点があった。
しかも，上記問題点は，情報端末が複数の基地局間で移動する場合であっても解決されることが望まれる。
従って、本発明は上記事情に鑑みてなされたものであり、その目的とするところは、各ユーザが要求する情報を効率よく配信するとともに，各ユーザが異なる基地局間で移動する場合であっても，情報が配信されたことを確実に確認することが可能な情報配信システム及びその通信方法を提供することにある。
【０００４】
【課題を解決するための手段】
上記目的を達成するために本発明は，複数の基地局装置間で移動する複数の情報端末への情報配信を無線により行う情報配信システムの通信方法において，
前記基地局装置と通信可能なサーバにより，
前記基地局装置が前記情報端末各々から受信した所定の情報要求通知に基づいて，前記基地局装置の通信エリア内に入った上記情報端末又はその利用者である情報端末等の認識と，保有する情報から該情報端末等が要求する要求情報の選出と，該要求情報毎にそれを要求した前記情報端末等を指定する宛先情報の編成とが行われ，
認識された前記情報端末等及び前記要求情報各々に基づいて，前記要求情報とそれに対応する前記宛先情報とを含む配信情報の配信スケジュールが生成され，
前記基地局装置により，
前記情報要求通知を行った前記情報端末各々に対し該情報要求通知を受理したことを通知する情報要求受理通知を送信する要求受付工程と，
前記配信スケジュールに従って，前記配信情報を前記情報端末各々に対して一斉に送信する情報配信工程と，
前記配信情報が正常に受信された旨を通知する前記情報端末各々からの受信完了通知を受信し，これを送信した前記情報端末各々に対し受信完了確認通知を送信する配信確認工程とが実行されるものである。
このように，情報端末毎にではなく，要求情報毎に配信がなされるため，特に複数の情報端末から同一の情報が要求された場合に，効率のよい情報配信が可能である上，情報が配信されたことも確実に確認できる。
【０００５】
また，本発明に係る情報配信システムの通信方法においては，前記情報端末からの前記情報要求通知各々に，該情報要求通知を一意に識別する要求識別子を含ませ，前記情報要求通知各々に対応する前記情報要求受理通知，前記受信完了通知，及び前記受信完了確認通知の各々に，対応する前記要求識別子が含まれるようにする。
これにより，各通知がどの要求に対応する通知であるかの管理が容易となる。
さらに，前記サーバが，前記受信完了通知に含まれる前記要求識別子に基づいて前記要求情報がそれを要求した前記情報端末によって正常に受信されたことを認識する。
また，各々対応する前記要求受付工程，情報配信工程，及び配信確認工程のいずれか１つ又は複数が，異なる前記基地局装置で独立して実行され，前記サーバが，前記受信完了通知に含まれる前記要求識別子に基づいて前記要求情報がそれを要求した前記情報端末によって正常に受信されたことを認識する。
これらにより，情報端末が複数の基地局装置の間で移動しても，問題なく情報配信が行える。
【０００６】
前記サーバにより，前記要求識別子各々と，これに対応する前記要求情報各々についての前記情報端末との通信の進捗状態とが記憶され，これに基づいて前記情報端末各々との通信が制御されるよう構成してもよい。
また，前記情報端末各々により，前記要求識別子各々と，これに対応する前記要求情報各々についての前記基地局装置との通信の進捗状態が記憶され，これに基づいて前記基地局装置との通信が制御されるよう構成してもよい。
これらにより，各要求毎の通信の進捗管理が容易となる。
【０００７】
また，以上に示した通信方法を，複数の基地局装置間で移動する複数の情報端末への情報配信を無線により行う情報配信システムにおいて，
前記基地局装置と通信可能なサーバにより，前記基地局装置が前記情報端末各々から受信した所定の情報要求通知に基づいて，前記基地局装置の通信エリア内に入った上記情報端末又はその利用者である情報端末等の認識と，保有する情報から該情報端末等各々が要求する要求情報の選出と，該要求情報毎にそれを要求した前記情報端末等を指定する宛先情報の編成とが行われ，
認識された前記情報端末等及び前記要求情報各々に基づいて，前記要求情報とそれに対応する前記宛先情報とを含む配信情報の配信スケジュールが生成され，
前記基地局装置が，
前記情報要求通知を行った前記情報端末各々に対し該配信情報の受信準備を促す情報要求受理通知を送信する要求受付手段と，
前記配信スケジュールに従って，前記配信情報を前記情報端末各々に対して一斉に送信する情報配信手段と，
前記配信情報が正常に受信された旨を通知する前記情報端末各々からの受信完了通知を受信し，これを送信した前記情報端末各々に対し受信完了確認通知を送信する配信確認手段とを具備し，
前記情報端末が，前記情報要求通知及びこれに対応する前記受信完了通知の各々に前記情報要求通知を一意に識別する要求識別子を含め，
前記基地局装置が，前記情報要求受理通知及び前記受信完了確認通知の各々に，対応する前記要求識別子を含め，
複数の前記基地局装置が，各々対応する前記要求受付手段の処理，前記情報配信手段の処理，及び前記配信確認手段の処理のいずれか１つ又は複数を独立して実行し，
前記サーバが，前記受信完了通知に含まれる前記要求識別子に基づいて前記要求情報がそれを要求した前記情報端末によって正常に受信されたことを認識する情報配信システムとして具現するものであってもよい。
【０００８】
また，前記情報配信システムを構成する前記情報端末は，基地局装置から，自身宛ての情報を含む情報が各情報端末に一斉配信されても，自身宛ての情報は他の情報端末には取り込まれないので，自身の情報が誤って他人に見られる等の弊害が防止でき，情報端末の記憶容量等も少なくできる。
【０００９】
【発明の実施の形態】
以下添付図面を参照しながら、本発明の実施の形態及び実施例について説明し、本発明の理解に供する。尚、以下の実施の形態及び実施例は、本発明を具体化した一例であって、本発明の技術的範囲を限定する性格のものではない。
ここに、図１は本発明の実施の形態に係る情報配信システムＡの概略構成図，図３は本発明の実施の形態に係る情報配信システムＡを構成する基地局と情報端末の概略構成を示すブロック図，図４は本発明の実施の形態に係る情報配信システムＡにおける無線通信の送受信タイミングの説明図，図５は本発明の実施の形態に係る情報配信システムＡの無線通信データの構成例を示す説明図，図６は本発明の実施の形態に係る情報配信システムＡを構成する基地局の無線通信手順を示すフローチャート，図７は本発明の実施の形態に係る情報配信システムＡを構成する情報端末の無線通信手順を示すフローチャート，図８〜１０は本発明の実施の形態に係る情報配信システムＡを構成する基地局で生成されるデータの構成例を示す図である。
【００１０】
【発明の実施の形態】
以下添付図面を参照しながら、本発明の実施の形態及び実施例について説明し、本発明の理解に供する。尚、以下の実施の形態及び実施例は、本発明を具体化した一例であって、本発明の技術的範囲を限定する性格のものではない。
ここに、図１は本発明の実施の形態に係る情報配信システムＡの概略構成図，図３は本発明の実施の形態に係る情報配信システムＡを構成する基地局と情報端末の概略構成を示すブロック図，図４は本発明の実施の形態に係る情報配信システムＡにおける無線通信の送受信タイミングの説明図，図５は本発明の実施の形態に係る情報配信システムＡの無線通信データの構成例を示す説明図，図６は本発明の実施の形態に係る情報配信システムＡを構成する基地局の無線通信手順を示すフローチャート，図７は本発明の実施の形態に係る情報配信システムＡを構成する情報端末の無線通信手順を示すフローチャート，図８〜１０は本発明の実施の形態に係る情報配信システムＡを構成する基地局で生成されるデータの構成例を示す図である。
【００１１】
本実施の形態に係る情報配信システムＡは，図１に示すように，基地局１，携帯型の情報端末２，サーバ３，コンテンツ提供端末４により構成されている。図１に示すように，サーバ３には，駅などの人が集まる場所に設置される複数の基地局１，及び前記各ユーザへの配信対象（ユーザの要求情報）となる例えば，文字データ及びＪＰＥＧ形式の画像データで構成されるニュース情報や，ＭＰ３形式の音楽データ，その他プログラム等のコンテンツを提供するコンテンツ提供端末４が専用通信線５によって通信可能に接続されている。さらに前記サーバ３は，インターネットにも接続されている。
前記基地局１及び前記情報端末２は，ＳＳ（Spread Spectrum）無線を用いて，半径約５０ｍ程度の範囲で双方向通信を行う無線通信機能を有している。
前記情報端末２は，予め前記サーバ３に登録されたユーザによって携帯され，前記各基地局１の通信エリア内において，該基地局１との間で無線通信が可能である。
以下，情報配信システムＡにおいて，前記各基地局１及び各コンテンツ提供端末４が，各々別個の事業者により運営管理され，これらの事業者を集約管理するさらに別の事業者により，前記サーバ３が運営管理されることを想定して説明する。
以下に，前記サーバ３，基地局１，コンテンツ提供端末４，及び情報端末２について詳説する。
【００１２】
（サーバ３のデータベース構成）
まず，図２を用いて前記サーバ３が有するデータベースの構成について説明する。
前記サーバ３は１つ又は複数のコンピュータで構成され，図３に示すように７つのデータベース，即ち，ユーザＤＢ，コンテンツＤＢ，基地局ＤＢ，サービスＤＢ，ユーザ利用実績ＤＢ，コンテンツ配信実績ＤＢ，基地局利用実績ＤＢを有する。前記サーバ３は，前記各基地局１との通信を行うことにより，前記各データベースの参照及び更新を行い，情報配信サービスを集約管理する。前記各データベースのうち，前記ユーザＤＢ，前記コンテンツＤＢ，前記基地局ＤＢ，及び前記サービスＤＢは，前記各情報端末２に対して前記コンテンツを配信する前に予めデータ登録がなされるものである。
【００１３】
前記ユーザＤＢは，前記情報端末２を利用する各ユーザに関する情報，即ち，各ユーザを一意に特定するユーザＩＤ（各ユーザの識別情報），及び各ユーザの氏名，連絡先情報等が，前記ユーザＩＤ毎に格納されるデータベースである。これらのデータは，前記サーバ３のキーボード等による直接入力や，前記各情報端末２から前記各基地局１を経由した通信による入力，或いはインターネット経由の入力により登録される。
【００１４】
前記コンテンツＤＢは，各コンテンツに関する情報，即ち，前記各コンテンツを一意に指定するコンテンツＩＤ，該コンテンツそのもの，該コンテンツの価格，該コンテンツの属性（スポーツ情報，クラッシック音楽等）を特定する属性ＩＤ，該コンテンツの提供事業者を特定する提供者ＩＤ等が，前記コンテンツＩＤ毎に格納されるデータベースである。これらのデータは，前記サーバ３のキーボード等による直接入力や，前記各コンテンツ提供端末４からのオンライン入力，或いはインターネット経由の入力により登録される。
【００１５】
前記基地局ＤＢは，前記各基地局１に関する情報，即ち，前記各基地局１を一意に特定する基地局ＩＤ，各基地局１の設置場所，及び各基地局管理業者の名称及び先情報等が，前記基地局ＩＤ毎に格納されるデータベースである。これらのデータは，前記サーバ３のキーボード等による直接入力や，前記各基地局１からのオンライン入力，或いはインターネット経由の入力により登録される。
【００１６】
前記サービスＤＢは，前記各情報端末２を利用するユーザからの要求されるサービスに対応するコンテンツに関する情報が格納されるデータベースである。これは，例えば特定企業の最新の株価やインターネット経由で前記各ユーザ宛に届いた電子メールデータ等，予め各ユーザ個別に受け付けたサービスを特定するサービスＩＤと，これに対応するコンテンツＩＤと，前記各ユーザＩＤとが，該ユーザＩＤ毎に格納されるデータベースである。これらのデータは，前記サーバ３のキーボード等による直接入力や，前記各情報端末２から前記各基地局１を経由した通信による入力，或いはインターネット経由の入力により登録される。
残りの前記ユーザ利用実績ＤＢ，前記コンテンツ配信実績ＤＢ，前記基地局利用実績ＤＢは，前記情報端末２への各コンテンツ配信が完了する度に随時データ登録されるものであるが，これらについては後述する。
【００１７】
（コンテンツ提供端末４）
次に，前記コンテンツ提供端末４について説明する。
前記コンテンツ提供端末４は，前記サーバ３と専用通信線５に接続されたコンピュータである。該コンテンツ提供端末４により，各種のコンテンツが，該コンテンツの前記属性ＩＤ，該コンテンツの希望価格，予め付与された自身の前記提供者ＩＤ等とともに前記サーバ３へ送信され，これに基づいて前記サーバ３により前記コンテンツＤＢにデータ登録される。図１に示す本実施の形態では，前記コンテンツ提供端末４は，専用通信線５によって前記サーバ３と接続されているが，通信速度やセキュリティ上の対策を施せば，インターネット経由で接続する等，他の接続方法であってもかまわない。
【００１８】
（基地局１の構成）
次に，前記基地局１の構成について説明する。
前記基地局１は，図３に示すように，データ記憶部１１，受信バッファ１２，送受信ユニット１３，通信制御部１４，データ制御部１５から構成されている。
前記通信制御部１４は，前記サーバ３との通信を制御する。
前記送受信ユニット１３は，前記ＳＳ通信による前記情報端末２との無線通信を制御する。前記情報端末２との通信は，同一周波数帯上（例えば２４００〜２５００ＭＨｚ）で，時間的に送信と受信とを切替えて通信を行う。即ち，通常は前記基地局１が送信状態，前記各情報端末２は受信状態とし，前記基地局１から時間を指定した所定の送信許可情報が含まれるデータが送信された場合にのみ，該指定時間に限り，前記基地局１が受信状態，前記各情報端末２が送信状態に切り替わるよう制御される。前記指定時間は，送受信されるデータの種類やデータ量等により随時決定される。
前記データ記憶部１１は，例えばハードディスク等の記憶装置であり，前記各情報端末２に配信されるコンテンツに関するデータベースである配信コンテンツＤＢ，及び前記配信スケジュール等のデータが格納される。前記配信コンテンツＤＢには，コンテンツそのもの，前記コンテンツＩＤ，前記属性ＩＤ，サイズ，登録日時等のデータが含まれ，これらのデータは，例えば，前記サーバ３から定期的に転送される
前記受信バッファ１２は，前記送受信ユニット１３により通信エリア内の前記各情報端末２から受信したデータを一時的に格納する記憶装置である。
前記データ制御部１５は，前記受信バッファ１２に格納されたデータに含まれる前記ユーザＩＤにより，通信エリア内に入ったユーザを認識する。さらに，その他の情報により前記各情報端末２へ配信するコンテンツの選出，選出されたコンテンツ毎の宛先の編成，及び各コンテンツの配信スケジュールの生成が行われるが，これらについては後述する。
【００１９】
（情報端末２の構成）
次に，前記情報端末２の構成について説明する。
前記情報端末２は，図３に示すように，送受信ユニット２１，ワークメモリ２２，データ保存メディア２３，ＲＯＭ２４，ＭＰＵ２５，操作表示部２６から構成されている。ここで，前記データ保存メディア２３としては，スマートメディアやコンパクトフラッシュ等の着脱可能な不揮発性メモリを用いることが望ましいが，例えば内蔵のフラッシュメモリやＤＲＡＭ等を用いることも可能である。前記送受信ユニット２１は，前記基地局１の送受信ユニット１３に対応して，無線通信を制御する。前記基地局１からの受信データに，時間を指定した前記送信許可情報が含まれる場合に，該指定時間の間のみデータ送信可能にし，それ以外の時間帯は常に受信状態（受信待ち状態を含む）に制御する。
前記ワークメモリ２２は，前記送受信ユニット２１を介して受信した前記基地局１から送信されるデータを一時的に格納するものである。
前記操作表示部２６は，前記情報端末２の利用者による各種データ入力，及び前記データ保存メディア２３に格納されるコンテンツの再生処理を行う。
前記ＭＰＵ２５は，前記ワークメモリにデータが入力された際に，前記ワークメモリ２２内のデータから，自身を宛先とするコンテンツ等のデータを抽出して前記データ保存メディア２３に格納する処理や，抽出したデータの内容に応じて，前記送受信ユニット２１を介して前記基地局１に通知を送信する処理等を，前記ＲＯＭ２４に記憶されたプログラムに従って実行する。
前記データ保存メディア２３には，前記基地局１に対し，その前記情報端末２を利用するユーザを認識させるために送信する情報である前記ユーザＩＤが格納されている。この前記データ保存メディア２３は，例えば，前記サーバ３へのユーザ登録の際に，各ユーザ固有の前記ユーザＩＤが格納されて発行されるスマートメディア等である。これより，各ユーザが，利用する前記情報端末２を取り替える度に前記サーバ３へのユーザ登録をやり直す必要がなく便利である。前記データ保存メディア２３が，内蔵のフラッシュメモリ等である場合は，例えば，前記各情報端末２毎に固有のＩＤを予め格納しておき，これを前記ユーザＩＤとすることも考えられる。
【００２０】
（基地局１〜情報端末２間の通信手順）
次に，図５を用いて，前記基地局１と前記情報端末２との間のコンテンツの配信手順について詳説する。
前記基地局１により，所定の周期で前記各情報端末２に対し，無線通信の同期をとるのに必要な例えば前記送信許可情報等が含まれる所定のヘッダー情報，及びコンテンツの配信要求を許可する旨を示す所定の要求許可コードを含む要求許可通知Ｋ１が送信される。無線通信で授受されるデータには，前記ヘッダー情報が必ず含まれるが，以下，これについては記載を省略する。
一方，前記情報端末２により，前記要求許可通知Ｋ１が受信されると，ユーザにより予めコンテンツを要求する旨の入力がなされている場合には，情報要求通知Ｔ１が送信される。該情報要求通知Ｔ１には，コンテンツの配信要求であることを示す所定の情報要求コードと，前記データ保存メディア２３から読み出された自身の前記ユーザＩＤと，情報配信の要求を特定するトランザクション情報ＴＲとが含まれる。該トランザクション情報ＴＲには，前記ＭＰＵ２５によって生成され，各要求を一意に特定するトランザクションコード（要求識別子）と，要求するコンテンツの種類を特定する要求種別コードとが含まれる。該要求種別コードには，要求するコンテンツを直接指定する場合は，それに対応する前記コンテンツＩＤが，要求するコンテンツのジャンル等の属性を指定する場合は，それに対応する所定の前記属性ＩＤが，各ユーザが予め個別に登録しているサービスに対応するコンテンツを要求する場合は，所定の前記サービスＩＤが指定される。これらのいずれを指定するかは，ユーザにより前記操作表示部２６から予め入力される。
【００２１】
一方，前記基地局１により，前記情報要求通知Ｔ１が受信されると，該情報要求通知Ｔ１を正常に受理したことを示す情報要求受理通知Ｋ２がエリア内の前記情報端末２に対して一斉送信される。前記情報要求受理通知Ｋ２は，図５中Ｋ２のデータ内容に示すように，それが前記情報要求受理通知Ｋ２であることを示す所定の要求受理コードに，前記各情報端末２から受信した全ての前記情報要求通知Ｔ１に含まれていた前記ユーザＩＤ，及び前記トランザクション情報ＴＲ，並びに要求されたコンテンツが存在するか否かを示す照会結果のリストが付加されたデータである。前記照会結果については後述する。この前記情報要求受理通知Ｋ２により，前記各情報端末２は，自身が送信した前記情報要求通知Ｔ１が，前記基地局１に正常に受理されたことを認識できる。
さらに，前記基地局１により，前記情報要求受理通知Ｋ２が送信された後，後述する配信スケジュールに従って，前記各情報端末２から要求されたコンテンツを含む配信コンテンツＫ３が送信される。該配信コンテンツＫ３には，図５中Ｋ３のデータ内容に示すように，それがコンテンツの送信であることを示すコンテンツ送信コード，及び要求されたコンテンツに加え，各コンテンツ毎にそれを要求した各ユーザの前記ユーザＩＤ及び対応する前記トランザクション情報ＴＲのリストが含まれる。
さらに，前記基地局１により，前記配信コンテンツＫ３が送信された後，前記各情報端末２に対し，コンテンツが正常に届いたことの通知を要求する受信完了要求通知Ｋ４が送信される。該受信完了要求通知Ｋ４には，その通知であることを示す所定の受信完了要求コードが含まれる。
【００２２】
一方，前記情報端末２により，前記受信完了要求通知Ｋ４が受信されると，前記配信コンテンツＫ３から自身宛てのコンテンツを正常に取り込めた前記情報端末２により，受信成功を示す通知である受信完了通知Ｔ２が前記基地局１に対して送信される。該受信完了通知Ｔ２には，その通知であることを示す所定の受信完了コード，自身の前記ユーザＩＤ，及び受信が成功したコンテンツに対応する前記トランザクション情報ＴＲが含まれる。
【００２３】
最後に，前記基地局１により，前記受信完了通知Ｔ２が受信されると，それを正常に受け取ったことを通知する受信完了確認通知Ｋ５が前記各情報端末２に対して送信される。該受信完了確認通知Ｋ５は，図５中Ｋ５のデータ内容に示すように，その通知であることを示す所定の受信完了確認コードに，受信した全ての前記受信完了通知Ｔ２に対応する前記ユーザＩＤ及び前記トランザクション情報ＴＲのリストが付加されたデータである。
【００２４】
以上示した前記基地局１からの送信データＫ１〜Ｋ５は，エリア内の前記全情報端末２に共通の通知を行うものＫ１，Ｋ４であるか，前記各情報端末２を個別に宛先指定した情報を送信するものＫ２，Ｋ３，Ｋ５であるかにかかわず，いずれもエリア内の前記全情報端末２に向かって一斉に送信される。これに対し，前記各情報端末２は，受信したデータＫ２，Ｋ３，Ｋ５に含まれる前記ユーザＩＤを参照し，自身の前記ユーザＩＤに対応するデータのみを抽出することができる。
これにより，複数ユーザから同じコンテンツを要求された場合であっても，ユーザ毎に複数回データ送信する必要がなく，前記情報端末２が移動し，通信エリア内での滞留時間が短い情報配信システムにおいて，効率のよいデータ送信が可能となる。
また，いわゆるオーダー番号に該当する前記トランザクション情報ＴＲによって，各ユーザの配信要求が識別できるとともに，前記受信完了通知Ｔ２により，前記各情報端末２が要求したコンテンツが受信されたことを確実に確認できる。このため，コンテンツの配信に対し，ユーザに課金を行う場合であっても，失敗した配信に対して誤って課金してしまうことがなくなる。
【００２５】
次に，以上示した通信手順を実現するにあたり，前記基地局１及び前記情報端末２の各々がどのように動作するかについて説明する。
（基地局１の動作）
まず，図６及び図８〜１０を用いて，前記基地局１の動作について説明する。図６は，前記基地局１の前記データ制御部１５により実行される，前記各情報端末２との通信にかかる処理を示すフローチャートである。以下，Ｓ００１，Ｓ００２・・・は，処理手順（ステップ）の番号を示す。図中，開始から終了までの処理が，装置の電源投入から電源が切られるまでの間連続して実行される。
まずＳ００１において，前記情報要求許可通知Ｋ１が送信された後，Ｓ００２へ移行し，該情報要求通知Ｋ１の前記ヘッダー部で指定された所定の時間，前記各端末２からの前記情報要求通知Ｔ１が受信され，それらは一旦，前記要求バッファ１２に，図８に示すようなテーブル形式（テーブルＡ）で格納される。該テーブルＡに受信データが格納される際，前記情報要求通知Ｔ１に含まれない情報として，要求されたコンテンツを特定する前記コンテンツＩＤと，同じ前記トランザクション情報ＴＲを含む前記情報要求通知Ｔ１が何回受信されたかをカウントした結果である要求回数と，各トランザクション情報ＴＲに対応するデータ配信（通信）の進捗を示す進捗状態とが付加されて記憶される。前記受信データに含まれる前記トランザクション情報ＴＲが初めて受信したものである場合，即ち，前記テーブルＡに受信データに含まれるものと同じ前記トランザクション情報ＴＲが存在しない場合は，前記コンテンツＩＤには空データ（データ無し）が，前記要求回数には１が，前記進捗状態には”配信組込前”が各々初期値として格納される。前記テーブルＡに受信データに含まれるものと同じ前記トランザクション情報ＴＲが存在する場合には，そのデータは追加されず，対応する前記要求回数のみが１プラスして更新される。
【００２６】
次にＳ００３へ移行し，前記テーブルＡのうち，前記進捗状態が前記配信組込前であるものについて，前記各トランザクション情報ＴＲに含まれる前記要求種別コードに基づいて，要求されたコンテンツの前記コンテンツＩＤが選出される。即ち，前記要求種別コードが，前記コンテンツＩＤである場合には該コンテンツＩＤが，要求するコンテンツのジャンル等を指定する前記属性ＩＤである場合には，該属性ＩＤを有するコンテンツのうち，例えば最新に登録されたコンテンツの前記コンテンツＩＤが，前記データ制御部１５により前記データ記憶部１１内の前記配信コンテンツＤＢが参照されることによって選出される。また，前記要求識別コードが前記サービスＩＤである場合には，該サービスＩＤとそれを要求したユーザの前記ユーザＩＤが前記サーバ３に通知され，前記サーバ３により前記サービスＤＢが参照されて得た前記コンテンツＩＤが，前記基地局１に返信される。このようにして選出された前記コンテンツＩＤが，前記テーブルＡに格納された結果の例を図９に示す。
【００２７】
次に，Ｓ００４へ移行し，図９に示す前記テーブルＡが参照され，前記進捗状態が前記配信組込前であるものについて，前記情報要求受理通知Ｋ２が生成され，前記各情報端末２へ送信される。このとき，Ｓ００３において前記コンテンツＩＤが選出されたものについては，前記照会結果にデータ有りを示す識別子が，前記要求種別コードに対応する前記コンテンツＩＤを選出できなかったものについては，前記照会結果にデータ無しを示す識別子が，前記情報要求受理通知Ｋ２に含められる。その後，前記テーブルＡのデータのうち，前記進捗状態の値が前記”配信組込前”であるものが，”配信予定”に更新され，配信予定に組み込まれたことが記録される。
以上，Ｓ００１〜Ｓ００４の工程が，各情報端末２からの要求受付工程となる。
【００２８】
次に，Ｓ００５へ移行し，図９に示す前記テーブルＡのデータのうち，前記進捗状態の値が前記配信予定であるものについて，同じ前記コンテンツＩＤ毎に集約され，前記ユーザＩＤ及び前記トランザクション情報ＴＲを宛先情報として編成したテーブルＢ（図１０）が前記データ記憶部１１に生成される。前記宛先情報は，前記ユーザＩＤのリスト（集合）として構成される。
【００２９】
次に，Ｓ００６へ移行し，図１０に示す前記テーブルＢの各データに対し，所定のルールに基づいて配信の優先順位付けが行われ，配信スケジュールテーブル（図１１）が生成される。図１１に示す前記配信スケジュールテーブルは，前記テーブルＢの各データにおいて，前記要求回数が多い前記コンテンツＩＤから優先し，さらにその中で宛先となる前記ユーザＩＤの数の多いもの（即ち，要求するユーザ数の多いもの）から優先するというルールによって，優先順位付けを行った例である。
【００３０】
次に，Ｓ００７へ移行し，Ｓ００６で優先順位付けされた前記配信スケジュールテーブルで決定された優先順位に従って，例えば，予め前記各コンテンツＩＤ毎に登録されている各コンテンツのサイズ情報が前記優先順位の高い（数字の小さい）ものから加算され，所定の送信最大サイズを超えない範囲でコンテンツが選ばれ，これらについて前記配信コンテンツＫ３が生成され，前記各情報端末２に対して一斉送信される。さらに，一斉送信されたデータについて，前記テーブルＡ（図９）の前記進捗状態の値が”配信終了”に更新され，配信が終了したことが記録される。
以上Ｓ００５〜Ｓ００７の工程が，各情報端末２への情報配信工程となる。
【００３１】
次に，Ｓ００８へ移行し，前記受信完了要求通知Ｋ４が送信され，前記テーブルＡ（図９）の前記進捗状態が前記”配信終了”であるものが，”確認受信前”に更新され，配信の確認中であることが記録される。
次に，Ｓ００９へ移行し，該受信完了要求通知Ｋ１の前記ヘッダー部で指定した所定の時間，前記各端末２からの前記受信完了通知Ｔ２が受信され，それらは一旦，前記要求バッファ１２に格納される。
最後に，Ｓ０１０において，前記要求バッファ１２内の前記各受信完了通知Ｔ２から，前記受信完了確認通知Ｋ５が生成，送信されるとともに，前記テーブルＡ（図９）の前記進捗状態の値が前記”確認受信前”であるもののうち，前記受信完了通知Ｔ２に含まれるものと同じ前記トランザクション情報ＴＲのデータについて，前記進捗状態の値が”確認受信済”に更新された後処理が終了する。該”確認受信済”となったデータが，配信が完了した（正常に受信された）ものであると認識できる。
以上Ｓ００８〜Ｓ０１０の工程が，各情報端末２への配信確認工程となる。
【００３２】
（情報端末２の動作）
次に，図７を用いて前記情報端末２の動作について説明する。
前記情報端末２では，前記ＭＰＵ２５により前記基地局１との通信が制御されるが，その際，前記基地局１への各情報要求について，その通信の進捗状態の管理が行われる。
前記情報端末２における各要求の前記進捗状態には，”未要求”，”要求受理待ち”，”受信待ち”，”コンテンツ無し”，”受信成功”，”受信完了”，”失敗”の７つの状態がある。即ち，ユーザから情報要求の入力がなされて未だ前記情報要求通知Ｋ１がなされていない状態が前記”未要求”（初期状態），前記情報要求通知Ｔ１がなされて前記基地局１からの前記情報要求受理通知Ｋ２を待つ状態が前記”要求受理待ち”，前記基地局１から前記情報要求受理通知Ｋ２が受信された場合であって，これに含まれる前記参照結果が前記コンテンツ有りを示す識別子であるため，コンテンツの配信を待つ状態が前記”受信待ち”，同じく前記参照結果が前記コンテンツ無しを示す識別子であるため，コンテンツの要求が中止される状態が前記”コンテンツ無し”，前記基地局１からコンテンツが正常に受信され，前記受信完了要求通知Ｋ４を待つ状態が前記”受信成功”，前記受信完了確認通知Ｋ５が受信され，その要求に関する全ての処理が終了した状態が前記”受信完了”，及び所定回数の前記情報要求通知Ｔ１がなされたにもかかわらず，コンテンツを正常に受信できなかった状態が前記”失敗”である。このような前記進捗状態が，前記ＭＰＵ２５により，前記トランザクション情報ＴＲ毎に，前記情報要求通知Ｔ１の最新の通知日時，その通知回数とともに，通信記録として前記データ保存メディア２３に随時記録される。
【００３３】
図７は，前記ＭＰＵ２５により実行が制御される，前記基地局１との通信にかかる処理を示すフローチャートである。前記情報端末２は，通常は前記基地局１からのデータの受信待ち状態であり，受信データの前記ヘッダー部で送信を許可する所定時間が指定された場合にのみ，必要に応じて送信を行う。図７の開始時点においては，既に，前記送受信ユニット２１により前記基地局１からの受信データが前記ワークメモリ２２に格納されているものとし，データを受信する毎に，図７に示す開始から終了までの処理が実行される。
【００３４】
まず，Ｓ１１０において，前記ワークメモリ２２内の受信データに，それが前記情報要求許可通知Ｋ１であることを示す前記要求許可コードが含まれるか否かが判別され，含まれる（前記情報要求許可通知Ｋ１である）場合には，Ｓ１１１へ移行する。Ｓ１１１では，前記通信記録が参照され，前記最新の通知日時から所定の再通知時間が経過しており（タイムアウト），かつその前記要求回数が所定の上限回数以上のデータがある場合には，それに対応する前記進捗状態が前記”失敗”に設定される。さらに，次のＳ１１２では，前記通信記録が参照され，前記進捗状態が前記”未要求”である要求，又は前記進捗状態が前記”要求受理待ち”若しくは”受信待ち”であり，かつ前記タイムアウトである要求が存在する場合には，それに対応する前記トランザクション情報ＴＲを含む前記情報要求通知Ｔ１が送信される。さらに，Ｓ１１３に移行し，該送信された前記トランザクション情報ＴＲに対応する前記進捗状態が前記”要求受理待ち”に設定されるとともに，前記要求回数がカウントアップされ，前記最新の通知日時が更新されて処理が終了する。
【００３５】
Ｓ１１０において，受信データが前記情報要求許可通知Ｋ１でないと判別された場合には，Ｓ１２０に移行し，Ｓ１１０と同様に，受信データが前記情報要求受理通知Ｋ２であるか否かが判別され，そうであると判別された場合には，Ｓ１２１へ移行する。Ｓ１２１では，受信データから，前記データ保存メディア２３に格納されている自身の前記ユーザＩＤが宛先に指定されるデータのみが抽出される。さらに，Ｓ１２２へ移行し，抽出されたデータに含まれる前記トランザクション情報ＴＲが参照され，これに対応する前記通信記録の前記進捗状態が更新される。即ち，前記情報要求受理通知Ｋ２に含まれる前記参照結果が，前記データ有りを示す識別子である場合には，前記進捗状態が前記”受信待ち”に，前記データ無しを示す識別子である場合には，前記”コンテンツ無し”に更新されて処理が終了する。この状態が，前記基地局１によって前記情報要求通知Ｔ１が正常に受信されたことを認識した状態である。
【００３６】
Ｓ１２０において，受信データが前記情報要求受理通知Ｋ２でないと判別された場合には，Ｓ１３０に移行し，受信データが前記配信コンテンツであるか否かが判別され，そうであると判別された場合には，Ｓ１３１へ移行する。Ｓ１３１では，受信データから，自身の前記ユーザＩＤが宛先に指定されるデータが抽出され，該データに含まれるコンテンツが前記データ保存メディア２３に格納される。さらに，Ｓ１３２へ移行し，抽出されたデータに含まれる前記トランザクション情報ＴＲに基づいて，これに対応する前記通信記録の前記進捗状態が更新される。ここで，コンテンツが正常に前記データ保存メディア２３に格納された場合には，前記進捗状態が前記”受信成功”に，伝送エラー等によりコンテンツが完全な状態で前記データ保存メディア２３に格納できなかった場合には，前記進捗状態が”未要求”に設定されて処理が終了する。これにより，正常受信できなかった場合には，前記タイムアウト発生時に，再度，前記情報要求通知Ｔ１が送信される。
【００３７】
Ｓ１３０において，受信データが前記配信コンテンツＫ３でないと判別された場合には，Ｓ１４０に移行し，受信データが前記受信完了要求通知Ｋ４であるか否かが判別され，そうであると判別された場合には，Ｓ１４１へ移行する。Ｓ１４１では，前記通信記録が参照され，前記進捗状態が前記”受信成功”である要求が存在する場合には，それに対応する前記トランザクション情報ＴＲを含む前記受信完了通知Ｔ２が送信される。
【００３８】
Ｓ１４０において，受信データが前記受信完了要求通知Ｋ４でないと判別された場合には，Ｓ１５０に移行し，受信データが前記受信完了確認通知Ｋ５であるか否かが判別され，そうであると判別された場合には，Ｓ１５１へ移行する。Ｓ１５１では，前記通信記録が参照され，前記進捗状態が前記”受信成功”であるものが，前記”受信完了”に更新設定された後，処理が終了する。この状態が，前記受信完了確認通知Ｔ２が前記基地局１によって正常に受信されたことを認識した状態である。
Ｓ１５０において，受信データが前記受信完了確認通知Ｋ５でないと判別された場合には，そのまま処理が終了する。
【００３９】
（各実績データベースの生成と課金処理）
次に，前記サーバ３で生成される，前記ユーザ利用実績ＤＢ，前記コンテンツ配信実績ＤＢ，及び前記基地局利用実績データベースの各実績データベース及びそれらを用いた課金処理について説明する。
前記各基地局１から前記各情報端末２へのコンテンツ配信が完了すると，即ち，前記各基地局１により前記受信完了通知Ｔ２が受信されると，その度に所定の配信実績情報が前記サーバ３へ送信され，前記サーバ３において，該配信実績情報に基づいて前記各実績データベースが生成される。前記基地局１から送信される前記配信実績情報には，前記受信完了通知Ｔ２に含まれる情報，即ち前記ユーザＩＤ及び前記トランザクション情報ＴＲに，配信されたコンテンツの前記コンテンツＩＤが付加された情報のリスト，及びそれを受信した前記基地局１の前記基地局ＩＤ，並びにその完了通知の日時が含まれる。
前記サーバ３により，前記配信実績情報が受信されると，これが前記ユーザＩＤ毎に編成されて前記ユーザ利用実績ＤＢに登録される。
また，前記配信実績情報に含まれる前記コンテンツＩＤをキーとして前記コンテンツＤＢが参照され，これにより取得された前記提供者ＩＤと前記配信実績情報とが，該提供者ＩＤ毎に編成されて前記コンテンツ配信実績ＤＢに登録される。
さらに，前記配信実績情報が，前記基地局ＩＤ毎に編成されて前記基地局利用実績ＤＢに登録される。
前記各実績データベースへのデータ登録の際には，同じ前記トランザクション情報ＴＲを含むデータが既に登録されているか否かが判別され，新規の登録である場合にのみ追加登録される。そうでない場合には，その前記配信実績情報は破棄される。これにより，コンテンツの配信完了の確認を確実に行おうとした結果，前記基地局１により同じ前記トランザクション情報ＴＲを含む前記受信完了通知Ｔ２が複数回受信された場合であっても，前記配信実績情報の重複登録が防止でき，ユーザへの重複課金等の弊害を防止できる。
このようにして得られた前記各実績データベースに基づき，コンテンツの配信を受けた各ユーザに対する請求額と，前記各コンテンツ提供業者及び前記各基地局管理業者への対価とが決定される。
具体的には，例えば，月末等の所定の時期に，前記各実績データベースの前記完了通知日時データが参照され，過去１ヶ月間に配信の完了通知を受けたデータが抽出され，該データに含まれる前記コンテンツＩＤをキーとして，前記コンテンツＤＢから各コンテンツの価格データを得て，これを集計することによって，前記ユーザＩＤ毎の請求額が決定される。同様にして，例えば，前記コンテンツ提供業者及び前記基地局管理業者へは，各コンテンツの前記価格に所定の比率を乗じた対価が決定される。
【００４０】
以上示したように，前記トランザクション情報ＴＲ毎に，コンテンツ配信の前記進捗状態が管理されることにより，前記基地局１と前記情報端末２との間の各通知及びコンテンツ配信が，各々独立して実行可能である。
例えば，ある前記情報端末２が，ある基地局Ａとの間で，前記配信コンテンツＫ３の受信まで，即ち，コンテンツの受信成功までが終了した後，別の基地局Ｂの通信エリアへ移動した場合であっても，前記情報要求許可通知Ｋ１からやり直す必要はなく，前記受信完了要求通知Ｋ４に応じて前記受信完了通知Ｔ２を送信すれば，確実にコンテンツ配信が完了する。また，前記基地局１を介して前記情報要求通知Ｔ１を入力し，前記基地局１のデータ制御部１５によって行われる処理，即ち，前記各基地局１の通信エリア内の各ユーザの認識，コンテンツの選出，前記宛先の編成，及び前記配信スケジュールテーブルの生成の各処理を行うプログラムを前記サーバ３に実装し，前記進捗状態を，前記サーバ３で集中管理されるよう構成すれば，前記情報端末２が通信中のいずれの段階で別の前記基地局１の通信エリアに移動しても，通信の続行が可能である。即ち，前記要求受付工程，前記情報配信工程，及び前記配信確認工程が各々異なる基地局で実行可能である。
また，前記サーバ３が，前記トランザクション情報ＴＲを含む前記配信実績情報に基づいてユーザへの課金処理を行うので，重複課金の発生を防止でき，信頼性の高いシステムとなる。
【００４１】
【実施例】
前記実施の形態に係る情報配信システムＡでは，前記各情報端末２から要求されたコンテンツのみが配信されたが，前記配信コンテンツＫ３に，例えば，前記各基地局１周辺にある店を紹介する広告コンテンツや，新サービスを案内する放送コンテンツ等，無償のコンテンツを前記配信コンテンツＫ３に強制的に含めて送信することも考えられる。
ここに，図１２は本発明の実施例に係る情報配信システムＡ’を構成する基地局で生成されるデータの構成例を示す図であり，前記情報配信システムＡにおける前記配信スケジュールテーブル（図１１）に相当するものである。
図１２は，所定の広告コンテンツ及び放送コンテンツが，強制的に配信される例である。前記基地局１の前記データ制御部１５により，コンテンツの選出が行われる際に，例えば，予め定められた定刻毎等の所定の頻度で，所定の前記広告コンテンツ及び放送コンテンツの各々に対応する前記コンテンツＩＤが選出される。そして，前記広告コンテンツは，最優先で配信されるようその優先順位を高くし，前記放送コンテンツは逆に最も優先順位を低くして，前記配信スケジュールテーブルが生成される。各コンテンツの宛先は，全ての前記情報端末２を対象とする識別子ＡＬＬが指定される。前記広告コンテンツ及び前記放送コンテンツを配信するタイミングは，定刻毎とする以外に，例えば，前記各情報端末からの要求の数が所定数より少ない場合にする等他の方法も考えられ，優先順位付けの方法も本例に示す方法に限られるものではない。
【００４２】
【発明の効果】
以上説明したように、本発明によれば、無線による情報配信システムにおいて，各ユーザが特定して要求する情報を，効率よく配信することが可能となるとともに，各ユーザが異なる基地局間で移動する場合であっても，情報が配信されたことを確実に確認することが可能となる。
【図面の簡単な説明】
【図１】本発明の実施の形態に係る情報配信システムＡの概略構成図。
【図２】本発明の実施の形態に係る情報配信システムＡを構成するサーバの有するデータベースの構成図。
【図３】本発明の実施の形態に係る情報配信システムＡを構成する基地局と情報端末の概略構成を示すブロック図。
【図４】本発明の実施の形態に係る情報配信システムＡにおける無線通信の送受信タイミングの説明図。
【図５】本発明の実施の形態に係る情報配信システムＡの無線通信データの構成例を示す説明図。
【図６】本発明の実施の形態に係る情報配信システムＡを構成する基地局の無線通信手順を示すフローチャート。
【図７】本発明の実施の形態に係る情報配信システムＡを構成する情報端末の無線通信手順を示すフローチャート。
【図８】本発明の実施の形態に係る情報配信システムＡを構成する基地局で生成されるデータの構成例を示す図。
【図９】本発明の実施の形態に係る情報配信システムＡを構成する基地局で生成されるデータの構成例を示す図。
【図１０】本発明の実施の形態に係る情報配信システムＡを構成する基地局で生成されるデータの構成例を示す図。
【図１１】本発明の実施の形態に係る情報配信システムＡを構成する基地局で生成されるデータの構成例を示す図。
【図１２】本発明の実施例に係る情報配信システムＡ’を構成する基地局で生成されるデータの構成例を示す図。
【符号の説明】
１…基地局
２…情報端末
３…サーバ
４…コンテンツ提供端末
５…専用通信線
１１…データ記憶部
１２…受信バッファ
１３，２１…送受信ユニット
１４…通信制御部
１５…データ制御部
２２…ワークメモリ
２３…データ保存メディア
２４…ＲＯＭ
２５…ＭＰＵ
２６…操作表示部
Ｋ１…情報要求許可通知
Ｋ２…情報要求受理通知
Ｋ３…配信コンテンツ
Ｋ４…受信完了要求通知
Ｋ５…受信完了確認通知
Ｔ１…情報要求通知
Ｔ２…受信完了通知
ＴＲ…トランザクション情報
Ｓ００１，Ｓ００２，，，…ステップ
【図１】
0004364454.tif 000002
【図２】
0004364454.tif 000003
【図３】
0004364454.tif 000004
【図４】
0004364454.tif 000005
【図５】
0004364454.tif 000006
【図６】
0004364454.tif 000007
【図７】
0004364454.tif 000008
【図８】
0004364454.tif 000009
【図９】
0004364454.tif 000010
【図１０】
0004364454.tif 000011
【図１１】
0004364454.tif 000012
【図１２】
0004364454.tif 000013